(57)【要約】      （修正有）【課題】厚さの寸法が大きくならずに、かなりの枚数のカードを収納することが出来、又財布を使い分けたりする際に、容易に別の財布にカードを移すことができるカードケースを提供する。【解決手段】キャッシュカード等長方形のカードを縦向きに出し入れする開口部６を有する袋状カード収納部２ａ〜２ｊが上向きの同一方向に開口部６を複数個等間隔で固着形成し、これら複数個等間隔から成る袋状カード収納部が、更に折り畳み開閉自在に連結されて成る長方形の表側プレート状カバー３及び長方形の裏側プレート状カバー４のうち表側プレート状カバー３の内面に一体形成したことを特徴とする。カードを複数枚重ねて収納しても長さ方向いわゆる長手方向に重ねたトランプを広げるかのように重なるため、厚さの寸法が大きくならずに、かなりの枚数のカードを収納することができる。【選択図】図１
0003195313.tif 000002
【実用新案登録請求の範囲】
【請求項１】
キャッシュカード等長方形のカード（７）を縦向きに出し入れする開口部（６）を有する袋状カード収納部（２）が上向きの同一方向に開口部（６）を複数個等間隔で固着形成し、これら複数個等間隔から成る袋状カード収納部（２）が、更に折り畳み開閉自在に連結されて成る長方形の表側プレート状カバー（３）及び長方形の裏側プレート状カバー（４）のうち該表側プレート状カバー（３）の内面に一体形成したことを特徴とするカードケース（１）。
【請求項２】
長方形の表側プレート状カバー（３）と長方形の裏側プレート状カバー（４）を折り畳み閉じるために必要な係止部（８ｂ）、（８ｄ）が表側プレート状カバー（３）に、更に係止部（８ａ）、（８ｃ）が長方形の裏側プレート状カバー（４）に設けられていることを特徴とする請求項１に記載のカードケース（１）。
【考案の詳細な説明】
【技術分野】
【０００１】  本考案は、カードケースに関し、特に長財布の札入れにも収納出来、長方形のプレート状カバーの内面に長方形の幅方向、いわゆる縦向きに袋状カード収納部が複数個等間隔からなるよう形成されたカードケースに関する。
【背景技術】
【０００２】  従来、財布にはキャッシュカード、クレジットカード、ポイントカード、診察券等の長方形のカードを収納する収納ポケットが設けられている。【０００３】  一方財布に収納出来ないカードやカードを財布に収納したくない場合には、長方形の折り畳み開閉自在な二つ折りのカードケースが知られている。
なお、厚み方向にカードが重ならないよう収納ポケットの配置に余裕を持たせているカードケースも知られている。
【考案の概要】
【考案が解決しようとする課題】
【０００４】  しかしながら、前記財布にカードの収納ポケットが設けられているが、該収納ポケットは、複数枚のカードを収納するために財布の厚さ方向に仕切り部が設置されているため、厚さ寸法が大きくなり、財布自体が外観上見苦しく更にはポケットの間に出し入れしづらい課題が有った。【０００５】  一方、カードのみを収納する目的で作製されたカードケースにおける収納ポケットも、前記財布の収納ポケットと同様に厚さ方向に複数枚のカードを収納するため、厚さ寸法が大きくなるという欠点が有った。【０００６】  又、厚み方向にカードが重ならないよう収納ポケットの配置に余裕を持たせているカードケースは、その余裕の存在により収納出来る枚数が少なくなるという欠点が有った。
【課題を解決するための手段】
【０００７】  上記課題を解決するために本考案は、キャッシュカード等長方形のカード（７）を縦向きに出し入れする開口部（６）を有する袋状カード収納部（２）が上向きの同一方向に開口部（６）を複数個等間隔で固着形成し、これら複数個等間隔から成る袋状カード収納部（２）が、更に折り畳み開閉自在に連結されて成る長方形の表側プレート状カバー（３）及び長方形の裏側プレート状カバー（４）のうち該表側プレート状カバー（３）の内面に一体形成したことを特徴とする。【０００８】  なお、長方形の表側プレート状カバー（３）と長方形の裏側プレート状カバー（４）を折り畳み閉じるために必要な係止部（８ｂ）、（８ｄ）が表側プレート状カバー（３）に、更に係止部（８ａ）、（８ｃ）が長方形の裏側プレート状カバー（４）に設けられていることを特徴とする。
【考案の効果】
【０００９】  本考案のカードケースは以上の様な構成であるから、請求項１記載の考案にあっては、袋状カード収納部が、上向きの同一方向に開口部（６）を複数個等間隔で固着形成されているため、カードを複数枚重ねて収納しても長さ方向いわゆる長手方向に重ねたトランプを広げるかのように重なるため、厚さの寸法が大きくならずに、かなりの枚数のカードを収納することが出来る。【００１０】  請求項２記載の考案にあっては、それぞれ長方形の表側及び裏側プレート状カバーがカードを収納した後、それぞれのカバーに設けられた係止部によって折り畳まれた状態で閉じて保持することが出来るようになるため、そのまま長財布の札入れ部に収納が出来る。そのため財布を使い分けたり、カードを変更したりする際に本考案のカードケースを入れ替えたりするだけで簡単に別の財布に移すことの出来る優れたものとなる。もちろん見た目にも薄くて使い易いカードケースとなる。
【図面の簡単な説明】
【００１１】
【図１】本考案の一実施例を示す斜視図である。
【図２】本考案の袋状カード収納部の一実施形態を示す斜視図である。
【図３】本考案の袋状カード収納部にカードが縦方向に収納されている様子を示す斜視図である。
【図４】本考案の長方形の表側及び裏側プレート状カバーが折り畳まれ係止した状態を示す斜視図である。
【考案を実施するための形態】
【００１２】  本考案におけるカードケースの大きさ、形状、デザイン、材質、製造方法等は特に限定されないが、プレート状カバーは、樹脂、革等が用いられる。
【００１３】  それぞれの部材における大きさ、厚み、設置数、位置等についても特に限定されることはないが、上向きの同一方向に開口部を有し、複数個等間隔で固着形成される袋状カード収納部は、ＯＰＰのような薄手の樹脂袋又は厚みのあるファイルシート状のものでもあってもよい。
なお、長方形の表側プレート状カバーの内面に袋状カード収納部及び該収納部同士を固着形成させるためには、高周波ウェルダー、接着剤又は縫製等の手段が好ましい。
【００１４】  一方袋状カード収納部の大きさは、キャッシュカード、クレジットカード、ポイントカード更には診察券等の大きさに合うよう若干大きさの幅を持たせ、なおかつ縦方向に収納した際にカード上部が、袋状カード収納部より出し入れしやすいように該カード上部が少し出たままの状態となるようカードより小さめに形成されるのが好ましい。
【００１５】  袋状カード収納部は、長方形の表側プレート状カバーの幅方向に沿って開口部を有するのであるが、これは長方形の辺でいう短手方向であるため、カードの取り出し、差し込みの動作をカード縦方向に出し入れすることとなるため、カードの種類が視覚的にもすぐにわかる優れたものとなる。
【００１６】  袋状カード収納部にカードを収納した後、長方形の表側プレート状カバーと長方形の裏側プレート状カバーを折り畳んで係止部で留めて閉じれば、そのまま折り畳んだ状態で長財布の札入れ部に簡単に収納出来るものとなり、他の財布に移したい場合も本考案のカードケースのみを移動するだけで良いものとなる。なお係止部としてはホック留めとするのが特に好ましい。
以下、実施例と図面に基づき説明する。
【実施例】
【００１７】  図１は、本考案のカードケース（１）の長方形の表側プレート状カバー（３）の内面に複数個等間隔の袋状カード収納部（２ａ）、（２ｂ）、（２ｃ）、（２ｄ）、（２ｅ）、（２ｆ）、（２ｇ）、（２ｈ）、（２ｉ）、（２ｊ）が長方形の幅方向縦向きに袋状カード収納部（２ａ）、（２ｂ）、（２ｃ）、（２ｄ）、（２ｅ）、（２ｆ）、（２ｇ）、（２ｈ）、（２ｉ）、（２ｊ）の端部（５）も含めてそれぞれにおいて並列に少しずつ等間隔に固着して複数個形成されている。
一方の長方形の裏側プレート状カバー（４）が折り畳み開閉自在に連結されていることがわかる。その際、該長方形の表側プレート状カバー（３）と長方形の裏側プレート状カバー（４）を折り畳み閉じるために必要な係止部（８ａ）、（８ｂ）及び（８ｃ）、（８ｄ）が設けられている。【００１８】  図２は、長方形の表側プレート状カバー（３）の内面に、袋状カード収納部（２ａ）、（２ｂ）、（２ｃ）、（２ｄ）、（２ｅ）、（２ｆ）が複数個等間隔にそれぞれの端部（５）も含めて固着形成された状態を示しており、カード（７）を出し入れする開口部（６）が確認出来る。【００１９】  図３は、長方形の表側プレート状カバー（３）の内面に、複数個等間隔の袋状カード収納部（２ａ）、（２ｂ）、（２ｃ）、（２ｄ）、（２ｅ）、（２ｆ）、（２ｇ）、（２ｈ）、（２ｉ）、（２ｊ）がそれぞれの端部（５）も含めて固着形成されており、袋状カード収納部（２ａ）、（２ｂ）、（２ｃ）には既にカード（７）が収納され、袋状カード収納部（２ｄ）にカード（７）が収納される状態を示している。【００２０】  図４は、複数個等間隔の袋状カード収納部（２）にそれぞれカード（７）が収納され、長方形の表側プレート状カバー（３）に設けられた係止部（８ｂ）、（８ｄ）と長方形の裏側プレート状カバー（４）に設けられた係止部（８ａ）、（８ｃ）とが折り畳んだ状態で留められて１枚のプレート状態となり、長財布の札入れ部に収納出来る状態を示すものである。
【産業上の利用の可能性】
【００２１】  本考案のカードケースは、カードを複数枚重ねて収納しても長さ方向いわゆる長手方向に重ねたトランプを広げるかのように重なるため、厚さの寸法が大きくならずに、かなりの枚数のカードを収納することが出来き、更にカードケース自体の厚さの寸法が大きくならず、かなりの枚数のカードを薄くコンパクトに収納出来る。
【００２２】  更にカードの出し入れ口である開口部が長方形の表側プレート状カバーの幅方向いわゆる短手方向に沿って有するため、カードを縦方向に出し入れ出来る形となり、何のカードか視覚的にも直ぐに理解して簡単に所望のカードを出し入れ出来る。
【００２３】  そして、それぞれ長方形の表側及び裏側プレート状カバーがカードを収納した後、それぞれのカバーに設けられた係止部によって折り畳まれた状態で閉じて保持することが出来るようになるため、そのまま長財布の札入れ部に収納することの出来る優れたカードケースとなる。
【符号の説明】
【００２４】１  カードケース
２、２ａ、２ｂ、２ｃ、２ｄ、２ｅ、２ｆ、２ｇ、２ｈ、２ｉ、２ｊ  袋状カード収納部
３  長方形の表側プレート状カバー
４  長方形の裏側プレート状カバー
５  端部
６  開口部
７  カード
８ａ、８ｂ、８ｃ、８ｄ  係止部
【図１】
0003195313.tif 000003
【図２】
0003195313.tif 000004
【図３】
0003195313.tif 000005
【図４】
0003195313.tif 000006